(57)【要約】【課題】操作部の操作を効率的に行うとともに、操作部の過度な操作に伴う流体制御装置の破損を確実に防止することができる開度計を提供する。【解決手段】流体制御装置としての仕切弁１は、水が流れる流路２ｃを開閉する弁体６と、弁体６を開閉するために操作される操作部であるキャップ７と、弁体６の開閉状況を示す開度計１０とを備え、開度計１０は、キャップ７の操作に応じて回転する指標体１２と、指標体１２に配置されるリードスイッチ２１と、指標体１２を回転可能に載置する位置表示体１１と、位置表示体１１に配置される永久磁石ユニット２２とを有し、指標体１２は位置表示体１１に対して回転し、リードスイッチ２１が永久磁石ユニット２２に対向したとき、リードスイッチ２１が永久磁石ユニット２２に対向していることを検出する検出表示装置２５を有する。【選択図】図４
2019108963.tif 000002
【特許請求の範囲】
【請求項１】
流体が流れる流路を開閉する弁体と、前記弁体を開閉するために操作される操作部とを備える流体制御装置に配置され、前記弁体の開閉状況を示す開度計において、
前記操作部の操作に応じて回転する指標体と、
前記指標体に配置される検出センサと、
前記指標体を回転可能に載置する位置表示体と、
前記位置表示体に配置され、前記検出センサに検出される検出対象とを有し、
前記指標体は前記位置表示体に対して回転し、前記検出センサが前記検出対象に対向したとき、前記検出センサが前記検出対象を検出することを特徴とする開度計。
【請求項２】
前記検出センサが前記検出対象に対向していることを表示する表示手段をさらに有することを特徴とする請求項１記載の開度計。
【請求項３】
前記検出センサが前記検出対象に対向していることを通知する通知手段をさらに有することを特徴とする請求項１又は２記載の開度計。
【請求項４】
前記位置表示体は複数の前記検出対象を有し、各前記検出対象は前記検出センサに対向可能に配置されることを特徴とする請求項１乃至３のいずれか１項に記載の開度計。
【請求項５】
前記検出センサはリードスイッチであり、前記検出対象は永久磁石ユニットであることを特徴とする請求項１乃至４のいずれか１項に記載の開度計。
【請求項６】
流体が流れる流路を開閉する弁体と、前記弁体を開閉するために操作される操作部と、前記弁体の開閉状況を示す開度計とを備える流体制御装置において、
前記開度計は、
前記操作部の操作に応じて回転する指標体と、
前記指標体に配置される検出センサと、
前記指標体を回転可能に載置する位置表示体と、
前記位置表示体に配置され、前記検出センサに検出される検出対象とを有し、
前記指標体は前記位置表示体に対して回転し、前記検出センサが前記検出対象に対向したとき、前記検出センサが前記検出対象を検出することを特徴とする流体制御装置。
【請求項７】
流体が流れる流路を開閉する弁体及び前記弁体を開閉するために操作される操作部を備える流体制御装置に配置されるとともに、前記操作部の操作に応じて回転する指標体、前記指標体に配置される検出センサ、前記指標体を回転可能に載置する位置表示体、前記位置表示体に配置される検出対象、及び前記検出センサを制御する制御手段を備える開度計の制御方法において、
前記制御手段が前記検出センサに信号を送信する送信ステップと、
前記検出センサが前記検出対象に対向したとき、前記制御手段が前記信号を前記検出センサから受信する受信ステップとを有することを特徴とする開度計の制御方法。
【発明の詳細な説明】
【技術分野】
【０００１】
本発明は開度計、その開度計を備える流体制御装置、及び開度計の制御方法に関する。
【背景技術】
【０００２】
従来より、水道水が流れる流路を有する弁箱と、弁箱に格納され且つ弁箱の内部を移動する弁体と、弁体を移動するために回転操作される操作部と、を備える流体制御装置としての仕切弁が知られている（例えば、特許文献１参照）。特許文献１の仕切弁は、操作部が操作されたとき、弁体の位置、例えば、弁体が流路を塞ぎ且つ流路内部の水道水の流れを止める全閉位置と、弁体が流路を最大限開放し且つ水道水が流路内部を流れる全開位置とを表示する開度計を有する。
【０００３】
開度計は、弁体の全閉位置を表示する全閉位置表示部、弁体の全開位置を表示する全開位置表示部、及び操作部の回転に応じて全閉位置表示部と全開位置表示部との間を移動する指標部とを備える。操作部を回転操作するユーザは、操作部を操作しながら指標部を目視で確認し、指標部が全閉位置表示部又は全開位置表示部を達したとき、操作部の回転操作を中止する。
【先行技術文献】
【特許文献】
【０００４】
【特許文献１】特許第３４７０２８３号公報
【発明の概要】
【発明が解決しようとする課題】
【０００５】
しかしながら、ユーザは操作部の操作作業及び指標部の確認作業を同時に行う必要があるため、指標部が全閉位置表示部又は全開位置表示部に達した後に操作部の回転操作を続けないように操作部の操作作業を慎重に行う場合、操作部の操作に関する作業効率は低下する。また、指標部の確認作業が困難な場合や操作部の操作に関する作業効率を重要視して指標部の確認作業を粗雑に行う場合、ユーザは指標部が全閉位置表示部又は全開位置表示部に達した後であっても余勢で操作部の回転操作を続ける場合があり、その結果、仕切弁が破損するという問題があった。
【０００６】
すなわち、従来は、操作部の操作を効率的に行うとともに、操作部の過度な操作に伴う流体制御装置の破損を確実に防止することができないという問題があった。
【０００７】
本発明の目的は、操作部の操作を効率的に行うとともに、操作部の過度な操作に伴う流体制御装置の破損を確実に防止することができる開度計、その開度計を備える流体制御装置、及び開度計の制御方法を提供することにある。
【課題を解決するための手段】
【０００８】
上記目的を達成するために、本発明の開度計は、流体が流れる流路を開閉する弁体と、前記弁体を開閉するために操作される操作部とを備える流体制御装置に配置され、前記弁体の開閉状況を示す開度計において、前記操作部の操作に応じて回転する指標体と、前記指標体に配置される検出センサと、前記指標体を回転可能に載置する位置表示体と、前記位置表示体に配置され、前記検出センサに検出される検出対象とを有し、前記指標体は前記位置表示体に対して回転し、前記検出センサが前記検出対象に対向したとき、前記検出センサが前記検出対象を検出することを特徴とする。
【０００９】
上記目的を達成するために、本発明の流体制御装置は、流体が流れる流路を開閉する弁体と、前記弁体を開閉するために操作される操作部と、前記弁体の開閉状況を示す開度計とを備える流体制御装置において、前記開度計は、前記操作部の操作に応じて回転する指標体と、前記指標体に配置される検出センサと、前記指標体を回転可能に載置する位置表示体と、前記位置表示体に配置され、前記検出センサに検出される検出対象とを有し、前記指標体は前記位置表示体に対して回転し、前記検出センサが前記検出対象に対向したとき、前記検出センサが前記検出対象を検出することを特徴とする。
【００１０】
上記目的を達成するために、本発明の開度計の制御方法は、流体が流れる流路を開閉する弁体及び前記弁体を開閉するために操作される操作部を備える流体制御装置に配置されるとともに、前記操作部の操作に応じて回転する指標体、前記指標体に配置される検出センサ、前記指標体を回転可能に載置する位置表示体、前記位置表示体に配置される検出対象、及び前記検出センサを制御する制御手段を備える開度計の制御方法において、前記制御手段が前記検出センサに信号を送信する送信ステップと、前記検出センサが前記検出対象に対向したとき、前記制御手段が前記信号を前記検出センサから受信する受信ステップとを有することを特徴とする。
【発明の効果】
【００１１】
本発明によれば、操作部の操作を効率的に行うとともに、操作部の過度な操作に伴う流体制御装置の破損を確実に防止することができる。
【図面の簡単な説明】
【００１２】
【図１】本発明の実施の形態に係る流体制御装置としての仕切弁の外観を概略的に示す正面図である。
【図２】図１の仕切弁の内部構造を説明するための部分断面図である。
【図３】図１における開度計の外観を概略的に示す斜視図である。
【図４】図３の開度計の分解図であり、開度計の詳細な構成を説明するための図である。
【図５】図１における開度計周辺を拡大して開口部の方向から眺めた部分断面図である。
【図６】図４における内歯歯車が嵌合された指標体に外歯歯車が歯合している様子を説明するための図である。
【図７】図４における内歯歯車が嵌合された位置表示体に外歯歯車が歯合している様子を説明するための図である。
【発明を実施するための形態】
【００１３】
以下、本発明の実施の形態について図面を参照しながら説明する。
【００１４】
図１は、本発明の実施の形態に係る流体制御装置としての仕切弁１の外観を概略的に示す正面図であり、図２は、図１の仕切弁１の内部構造を説明するための部分断面図であって、図２（Ａ）は弁体６が全閉位置に位置していることを示す図であり、図２（Ｂ）は弁体６が全開位置に位置していることを示す図である。
【００１５】
図１及び図２の仕切弁１は、弁箱２、弁箱２に連結される蓋３、一端に弁体６が接続されている弁棒５、弁棒５の他端に取り付けられるキャップ７（操作部）、並びに、蓋３及びキャップ７の間に介在する開度計１０を備え、弁棒５は、弁箱２、蓋３、及び開度計１０に挿通されている。キャップ７が回転操作されると、弁棒５が回転して弁体６は弁箱２及び蓋３の間を移動する。
【００１６】
弁箱２は開口部２ａ，２ｂ及び流路２ｃを備え、開口部２ａ，２ｂは、例えば、水道水が流れる水道管５０ａ，５０ｂに接続されている。水道水は、開口部２ａから流入し、流路２ｃを経由して開口部２ｂから排出され、又は開口部２ｂから流入し、流路２ｃを経由して開口部２ａから排出される。また、弁箱２は弁体６が当接する弁箱止水位置２ｄを備え、弁体６が弁箱止水位置２ｄに当接すると、弁体６は流路２ｃを塞ぎ、流路２ｃの内部の水道水の流れを止める（図２（Ａ））。
【００１７】
蓋３は、弁箱２に、例えば、ボルト及びナット（いずれも不図示）で連結されるとともに、弁棒５が挿通されるための貫通孔３ａを備え、貫通孔３ａは、その周囲に弁体６が当接する当接部３ｂを有する。弁体６が弁箱止水位置２ｄに当接しているとき、キャップ７が回転操作されると、弁体６は弁棒５に沿って移動して当接部３ｂに当接し、流路２ｃを最大限開放する（図２（Ｂ））。
【００１８】
弁棒５の一端は弁体６を備え、弁棒５の他端はキャップ７を備える。また、弁棒５は雄ネジ部を有し、弁体６はその内部に雌ネジ部を有する。弁棒５の雄ネジ部は弁体６の雌ネジ部に螺合し、ユーザがキャップ７を把持して一の方向に回転すると、弁体６は弁棒５に沿って蓋３から弁箱２に移動し、ユーザがキャップ７を把持して他の方向に回転すると、弁体６は弁棒５に沿って弁箱２から蓋３に移動する。
【００１９】
続いて、開度計１０について、図３〜図７を参照しながら説明する。
【００２０】
図３は、図１における開度計１０の外観を概略的に示す斜視図である。
【００２１】
図３の開度計１０は、弁棒５を挿通するために開度計１０の中央に設けられている貫通孔１０ａ、貫通孔１０ａに嵌合されるカラー１７、キャップ７の回転に基づいて回転する回転体１５、回転体１５の回転に基づいて回転する指標体１２、弁体６の流路２ｃに関する開閉状況を示す位置表示体１１を備え、指標体１２は位置表示体１１に対して回転する。
【００２２】
カラー１７は円筒状の形状であり、貫通孔１０ａに嵌合される。そのため、弁棒５が貫通孔１０ａに挿通されたとき、カラー１７に対して摺動する。回転体１５は本体部１５ａと、本体部１５ａに配設される複数のピン孔１５ｂと、各ピン孔１５ｂに挿入される複数の連結ピン１５ｅとを備え、各連結ピン１５ｅはキャップ７に連結される。これにより、キャップ７が回転操作されると、キャップ７の回転に基づいて回転体１５は回転する。指標体１２は後述の外歯歯車１６及び内歯歯車１９を介して回転体１５に接続され、回転体１５が回転すると、回転体１５に連動して回転する。位置表示体１１は弁体６の開閉状況を示す開度表示１１ｆを有し、開度表示１１ｆは弁体６が流路２ｃを塞ぎ且つ流路２ｃの内部の水道水の流れを止める全閉位置（図３中の文字Ｓ）と、弁体６が流路２ｃを最大限開放し且つ水道水が流路２ｃ内部を流れる全開位置（図３中の文字Ｏ）を示す。指標体１２は指標部１２ａを有し、指標部１２ａは、全閉位置を示す開度表示１１ｆ（図３中の文字Ｓ）と、全開位置を示す開度表示１１ｆ（図３中の文字Ｏ）との間を貫通孔１０ａを中心に回転移動して開度状況を示す。
【００２３】
図４は、図３の開度計１０の分解図であり、図５は、図１における開度計１０周辺を拡大して開口部２ａの方向から眺めた部分断面図である。図４及び図５は開度計１０の詳細な構成を説明するために用いられる図である。
【００２４】
図４及び図５の開度計１０は、貫通孔１０ａ、位置表示体１１、指標体１２、回転体１５、及びカラー１７に加えて、外歯歯車１６、内歯歯車１８，１９、及びベース部１３を備え、ベース部１３は位置表示体１１に固定されている。
【００２５】
回転体１５は、係合脚片１５ｃ、ピン１５ｄ、及び嵌合部１５ｇを備え、嵌合部１５ｇは本体部１５ａから指標体１２に対して突出し、係合脚片１５ｃ及びピン１５ｄは嵌合部１５ｇから指標体１２に対して突出し、ピン１５ｄは係合脚片１５ｃの外周に配置される。係合脚片１５ｃはカラー１７が貫通孔１０ａに挿入されたとき、カラー１７を囲むように形成され、ベース部１３に係合する。係合脚片１５ｃがベース部１３に係合すると、回転体１５及びベース部１３は、位置表示体１１、指標体１２、及び内歯歯車１８，１９を保持する。ピン１５ｄは外歯歯車１６の中央に挿入され、外歯歯車１６はピン１５ｄに対して回転可能に取り付けられる。
【００２６】
指標体１２は、その中央に嵌合部１５ｇを挿入するための挿入孔１２ｂを有するとともに、内歯歯車１９を嵌合するための凹部１２ｃを有する。また、指標体１２は、凹部１２ｃを形成するための側壁部１２ｄを有する。内歯歯車１９はその外縁に複数の突起部１９ｅを備え、側壁部１２ｄは各突起部１９ｅに対応する複数の突起嵌合部１２ｆを備える（図６）。したがって、内歯歯車１９が凹部１２ｃに嵌合されるとともに、各突起部１９ｅが各突起嵌合部１２ｆに嵌合され、内歯歯車１９は指標体１２に隙間無く固定される。
【００２７】
位置表示体１１は、内歯歯車１９が嵌合された指標体１２の側壁部１２ｄを挿入するための挿入凹部１１ｈと、内歯歯車１８を嵌合するための嵌合凹部１１ｄとを有する。ここで、側壁部１２ｄが挿入凹部１１ｈに挿入されたとき、指標体１２は位置表示体１１に固定されていない。すなわち、側壁部１２ｄは挿入凹部１１ｈに対して摺動可能であり、指標体１２は位置表示体１１に対して回転する。
【００２８】
内歯歯車１８はその外縁に複数の突起部１８ａを備え、嵌合凹部１１ｄの内壁面１１ｉは各突起部１８ａに対応する複数の突起嵌合部１１ｅを備える（図７）。したがって、内歯歯車１８が嵌合凹部１１ｄに嵌合されるとともに、各突起部１８ａは各突起嵌合部１１ｅに嵌合され、内歯歯車１８は位置表示体１１に隙間無く固定される。
【００２９】
側壁部１２ｄが挿入凹部１１ｈに挿入されると、位置表示体１１及び指標体１２は重畳し、内歯歯車１８，１９は対向する。このとき、内歯歯車１９の回転軸（不図示）と、内歯歯車１８の中心軸（不図示）は一致し、内歯歯車１８，１９の歯は、いずれも、外歯歯車１６の歯に歯合する。
【００３０】
また、位置表示体１１は、嵌合凹部１１ｄを介して挿入凹部１１ｈに対向する円筒部１１ｂと、円筒部１１ｂの内部空間１１ｃとを備え、挿入凹部１１ｈ、嵌合凹部１１ｄ、及び内部空間１１ｃは互いに連通している。ベース部１３は嵌合孔１３ａを備え、ベース部１３全体が内部空間１１ｃに嵌合されるとともに、蓋３が嵌合孔１３ａに嵌合される。すなわち、位置表示体１１はベース部１３を介して蓋３に固定される。したがって、指標体１２は位置表示体１１だけでなくベース部１３及び蓋３に対しても回転するが、位置表示体１１はベース部１３及び蓋３に対して回転しない。その結果、キャップ７が回転操作されると、回転体１５及び指標体１２は回転するが、位置表示体１１は回転しない。なお、本実施の形態では、位置表示体１１及びベース部１３は別体であることを前提としたが、一体に形成されてもよい。
【００３１】
ところで、本実施の形態では、内歯歯車１８の歯数は５４丁であるとともに、内歯歯車１９の歯数は５６丁であり、それぞれの歯数は異なっている。これに起因して、キャップ７が操作されると、指標体１２は位置表示体１１に対して回転する。具体的に、キャップ７が回転操作されると、キャップ７の回転が連結ピン１５ｅを介して回転体１５に伝達され、回転体１５は回転する。回転体１５が回転するとき、ピン１５ｄに挿入された外歯歯車１６は内歯歯車１８，１９のいずれにも歯合し且つ内歯歯車１８，１９に沿って弁棒５の周りを周回する。これにより、内歯歯車１９は、外歯歯車１６が弁棒５の周りを１周する毎に外歯歯車１６が周回する方向と同一の方向に内歯歯車１８，１９の歯数の差分である２丁分内歯歯車１８に対して回転する。
【００３２】
図４及び図５に戻り、指標体１２は磁石を近づけると作動するリードスイッチ２１（検出センサ）を備え、位置表示体１１は複数の永久磁石ユニット２２（検出対象）を備える。リードスイッチ２１及び複数の永久磁石ユニット２２は近接センサであるセンサ部２０を構成する。
【００３３】
リードスイッチ２１は、例えば、指標部１２ａ近傍であって、側壁部１２ｄの外縁に埋設され（図３、図６）、指標体１２から露出している。したがって、リードスイッチ２１は貫通孔１０ａを中心に回転移動する指標部１２ａとともに回転移動する。リードスイッチ２１は磁性体である一対のリード片、例えば、２枚のニッケル合金と、不活性ガスが封入されたガラス管とからなる。一方のニッケル合金の一端及び他方のニッケル合金の一端（以下、「接点部」という。）は、接触可能な程度に間隙を有するとともに、不活性ガスが封入されたガラス管に密封されている。また、接点部は、高精度な接離動作を実現するために、金、銀、又はロジウム等によって処理が施されている。また、一方のニッケル合金の他端及び他方のニッケル合金の他端は異なる電気ケーブルに接続され、一方のニッケル合金に接続された電気ケーブル及び他方のニッケル合金に接続された電気ケーブルは検出表示装置２５（検出手段）に接続されている。
【００３４】
永久磁石ユニット２２は、少なくとも、挿入凹部１１ｈと開度表示１１ｆの間であって、開度表示１１ｆに示された全閉位置及び全開位置に対応する位置に埋設され、位置表示体１１から露出している。開度表示１１ｆに示された全閉位置及び全開位置に対応する位置に埋設された永久磁石ユニット２２は、指標体１２に埋設されたリードスイッチ２１が全閉位置及び全開位置に位置するときにリードスイッチ２１に対向するように配置される。なお、永久磁石ユニット２２は、開度表示１１ｆに示された全閉位置及び全開位置に対応する位置以外の位置にも埋設されてもよい。本実施の形態では、６個の永久磁石ユニット２２ａ，２２ｂ，２２ｃ，２２ｄ，２２ｅ，２２ｆが開度表示１１ｆに示された全開位置から全閉位置に向けて順次、等間隔に埋設されていることを前提とする（図７）。このとき、いずれの永久磁石ユニット２２も貫通孔１０ａを中心に回転移動するリードスイッチ２１に対向可能に配置されている。各永久磁石ユニット２２は、例えば、永久磁石であるネオジム磁石と、ネオジム磁石を格納する磁石ケースからなり、ネオジム磁石はエポキシ樹脂等によって磁石ケースに固定される。
【００３５】
次いで、リードスイッチ２１の動作について永久磁石ユニット２２との関係を示しながら説明する。ここでは、リードスイッチ２１が開度表示１１ｆに示された全開位置から全閉位置への方向に移動していることを前提とする。リードスイッチ２１が、例えば、永久磁石ユニット２２ａ及び永久磁石ユニット２２ｂの間を移動しているとき、リードスイッチ２１はいずれの永久磁石ユニット２２にも対向していないため、リードスイッチ２１の接点部は離間している。その後、リードスイッチ２１が回転移動して永久磁石ユニット２２ｂに対向すると、永久磁石ユニット２２の磁力に基づいて発生した磁界がリードスイッチ２１に作用する。その結果、リードスイッチ２１の接点部に吸引力Ｆｐが生じ、リードスイッチ２１の接点部は接触する。さらに、リードスイッチ２１が回転移動して永久磁石ユニット２２ｂから遠ざかると、リードスイッチ２１に作用する磁界が存在しないため、リードスイッチ２１の接点部に吸引力Ｆｐが生じることはなく、リードスイッチ２１の接点部は離間する。
【００３６】
続いて、リードスイッチ２１の接点部が接触したか否かを判別する判別処理について説明する。本処理は検出表示装置２５によって実行される。
【００３７】
検出表示装置２５は、電気ケーブルを介して一方のニッケル合金に電気信号を送信する（送信ステップ）。リードスイッチ２１の接点部が接触したとき、検出表示装置２５は、一方のニッケル合金に送信された電気信号を、他方のニッケル合金及び他方のニッケル合金に接続された電気ケーブルを介して受信する（受信ステップ）。検出表示装置２５は電気信号を受信したとき、検出表示装置２５が備える表示部２６（表示手段、通知手段）にリードスイッチ２１が永久磁石ユニット２２に対向していることを表示するように指示する（指示ステップ）。
【００３８】
表示部２６は、例えば、リードスイッチ２１が永久磁石ユニット２２ａに対向しているとき、弁体６が流路２ｃを最大限開放していること、つまり、弁体６の開度は１００％であることを表示し、リードスイッチ２１が永久磁石ユニット２２ｂに対向しているとき、弁体６の開度は８０％であることを表示し、リードスイッチ２１が永久磁石ユニット２２ｃに対向しているとき、弁体６の開度は６０％であることを表示し、リードスイッチ２１が永久磁石ユニット２２ｄに対向しているとき、弁体６の開度は４０％であることを表示し、リードスイッチ２１が永久磁石ユニット２２ｅに対向しているとき、弁体６の開度は２０％であることを表示し、リードスイッチ２１が永久磁石ユニット２２ｆに対向しているとき、弁体６が流路２ｃを塞いでいること、つまり、弁体６の開度は０％であることを表示する。
【００３９】
なお、表示部２６は、例えば、赤色灯等が点灯又は点滅することにより、リードスイッチ２１が永久磁石ユニット２２に対向していることを表示してもよい。これにより、ユーザは指標部１２ａの動作を直接視認しなくても弁体６の位置を簡単に把握することができる。また、表示部２６はブザー等の音によってリードスイッチ２１が永久磁石ユニット２２に対向していることをユーザに通知してもよい。これにより、ユーザは指標部１２ａの動作を視覚で認識する必要をなくすことができ、弁体６の開閉作業をさらに効率的に実施することができる。
【００４０】
本実施の形態における仕切弁１は、弁箱２の流路２ｃを開閉する弁体６と、弁体６を開閉するために操作されるキャップ７と、弁体６の開閉状況を示す開度計１０とを備え、開度計１０は、キャップ７の操作に応じて回転する指標体１２と、指標体１２に配置されるリードスイッチ２１と、指標体１２を回転可能に載置する位置表示体１１と、位置表示体１１に配置される永久磁石ユニット２２とを有し、指標体１２は位置表示体１１に対して回転し、リードスイッチ２１が永久磁石ユニット２２に対向したとき、リードスイッチ２１が永久磁石ユニット２２に対向していることを検出する検出表示装置２５を有する。検出表示装置２５はリードスイッチ２１が永久磁石ユニット２２に対向していることを検出したとき、表示部２６にリードスイッチ２１が永久磁石ユニット２２に対向していることを表示する。これにより、ユーザは指標体１２を直接確認することなく弁体６の開閉状態を簡単に把握することができるので、例えば、弁体６の全開位置又は全閉位置に対応する位置に永久磁石ユニット２２が配設されていれば、キャップ７の操作に関する作業効率を重要視しても弁体６が全開位置又は全閉位置に達した後にキャップ７の操作を続行することを防止することができる。その結果、弁体６の開閉操作を効率的に行うとともに、弁体６の過度な開閉操作に伴う仕切弁１の破損を確実に防止することができる。
【００４１】
また、本実施の形態では、開度計１０はリードスイッチ２１が永久磁石ユニット２２に対向していることを表示する検出表示装置２５を備え、検出表示装置２５は表示部２６を有する。表示部２６は、例えば、赤色灯であり、リードスイッチ２１が永久磁石ユニット２２に対向しているとき、赤色灯が点灯又は点滅するので、ユーザは指標体１２を確認し難い場合であっても簡単にリードスイッチ２１が永久磁石ユニット２２に対向していることを把握することができる。
【００４２】
さらに、本実施の形態では、位置表示体１１は複数の永久磁石ユニット２２を有する。これにより、ユーザは弁体６の全開位置及び全閉位置以外の位置を把握することができ、もって、弁体６が全閉位置や全開位置に達する直前において慎重にキャップ７を操作することができる。その結果、ユーザは弁体６が全閉位置や全開位置に達したことを唐突に把握し、余勢でキャップ７の回転操作を続け、仕切弁１を破損するのを回避することができる。
【００４３】
本実施の形態では、センサ部２０がリードスイッチ２１及び複数の永久磁石ユニット２２からなる磁気に基づく検出方式の近接センサであることを前提として説明したが、他の近接センサ、例えば、高周波の磁界を発生させるコイル及びその磁界を通過する際に誘導電流を生成する金属からなる近接センサ、並びに、赤外線を発光する発光素子、発光素子からの赤外線を反射する反射材料、及び反射材量が反射した赤外線を受光する受光素子からなる近接センサであってもよい。
【００４４】
また、本実施の形態では、表示部２６が、リードスイッチ２１が永久磁石ユニット２２に対向していることを赤色灯が点灯又は点滅によって表示することを説明したが、弁体６の全開位置又は全閉位置に対応する永久磁石ユニット２２及びリードスイッチ２１が対向したときと、それ以外の永久磁石ユニット２２及びリードスイッチ２１が対向したときとで表示部２６の表示形式又は通知形式を変更してもよい。すなわち、表示部２６は、弁体６の全開位置又は全閉位置に対応する永久磁石ユニット２２及びリードスイッチ２１が対向したときは、例えば、赤色灯を点灯又は点滅し、それ以外の永久磁石ユニット２２及びリードスイッチ２１が対向したときは、例えば、青色灯が点灯又は点滅してもよい。
【００４５】
さらに、本実施の形態では、検出表示装置２５が表示部２６を有することを前提としたが、検出表示装置２５をリードスイッチ２１が永久磁石ユニット２２に対向していることを検出する検出装置と、その検出装置に有線又は無線で接続され且つリードスイッチ２１が永久磁石ユニット２２に対向していることを示す表示装置とに代えてもよい。これにより、リードスイッチ２１が永久磁石ユニット２２に対向していることを検出する検出手段としての検出装置と、リードスイッチ２１が永久磁石ユニット２２に対向していることを表示する表示手段としての表示装置とが分離されるので、開度計１０に接続される表示装置が開度計１０の遠隔地にあってもユーザは開度計１０が示す弁体６の開度状況を遠隔監視することができ、もって、弁体６が流路２ｃを塞いでいるか否かを直ちに確認することができる。
【００４６】
以上、本発明について、上述した実施の形態を用いて説明したが、本発明は上述した実施の形態に限定されるものではない。
【符号の説明】
【００４７】
１          仕切弁
１０        開度計
１１        位置表示体
１２        指標体
１５        回転体
１６        外歯歯車
１８，１９  内歯歯車
２０        センサ部
２１        リードスイッチ
２２        永久磁石ユニット
２５        検出表示装置
２６        表示部
【図１】
2019108963.tif 000003
【図２】
2019108963.tif 000004
【図３】
2019108963.tif 000005
【図４】
2019108963.tif 000006
【図５】
2019108963.tif 000007
【図６】
2019108963.tif 000008
【図７】
2019108963.tif 000009